(57)【特許請求の範囲】
【請求項１】
複数のテキストを記憶する記憶手段に含まれるテキストの中から、評価対象の表現を含む前記テキストを抽出する表現抽出部と、
前記表現抽出部によって抽出された前記テキスト内において前記表現を修飾する文節を抽出する修飾文節抽出部と、
前記表現抽出部によって抽出された前記テキストと、前記修飾文節抽出部によって抽出された前記文節とを基に、前記表現の曖昧性を表わす評価値を算出する曖昧性評価処理部と、
を具備し、
前記曖昧性評価処理部は、
前記表現抽出部によって抽出された前記テキスト中における前記表現の出現回数をカウントする対象表現出現回数カウント部と、
前記修飾文節抽出部によって抽出された文節に含まれる自立語ごとの出現回数をカウントする自立語出現回数カウント部と、
前記対象表現出現回数カウント部によってカウントされた前記表現の出現回数と、前記自立語出現回数カウント部によってカウントされた自立語ごとの出現回数とに基づいて、前記自立語の種類数が多いほど前記評価値が高くなり、また前記自立語ごとの出現頻度を前記表現の出現回数で除して得られる自立語出現確率が一様である度合いが高いほど前記評価値が高くなるように、前記評価値を算出する評価値算出部と、
を含む
ことを特徴とする曖昧性評価装置。
【請求項２】
前記曖昧性評価処理部は、前記表現を修飾する文節内に出現するそれぞれの前記自立語の出現頻度を前記表現の出現回数で除した値を自立語出現確率とし、前記自立語出現確率と当該自立語出現確率の対数との積の、すべての自立語についての総和に、負符号を付けた値を、前記評価値として算出する、
ことを特徴とする請求項１に記載の曖昧性評価装置。
【請求項３】
複数のテキストを記憶する記憶手段に含まれるテキストの中から、評価対象の表現を含む前記テキストを抽出する表現抽出過程と、
前記表現抽出過程によって抽出された前記テキスト内において前記表現を修飾する文節を抽出する修飾文節抽出過程と、
前記表現抽出過程によって抽出された前記テキストと、前記修飾文節抽出過程によって抽出された前記文節とを基に、前記表現の曖昧性を表わす評価値を算出する曖昧性評価処理過程と、
の処理をコンピュータに実行させるプログラムであって、
前記曖昧性評価処理過程は、
前記表現抽出過程によって抽出された前記テキスト中における前記表現の出現回数をカウントする対象表現出現回数カウント過程と、
前記修飾文節抽出過程によって抽出された文節に含まれる自立語ごとの出現回数をカウントする自立語出現回数カウント過程と、
前記対象表現出現回数カウント過程によってカウントされた前記表現の出現回数と、前記自立語出現回数カウント過程によってカウントされた自立語ごとの出現回数とに基づいて、前記自立語の種類数が多いほど前記評価値が高くなり、また前記自立語ごとの出現頻度を前記表現の出現回数で除して得られる自立語出現確率が一様である度合いが高いほど前記評価値が高くなるように、前記評価値を算出する評価値算出過程と、
を含むプログラム。
【発明の詳細な説明】
【技術分野】
【０００１】
本発明は、電子化されたテキスト情報を対象とした自然言語処理に関する。特に、文の曖昧性を評価する曖昧性評価装置およびそのプログラムに関する。
【背景技術】
【０００２】
テキスト中の単語や節には、対象とする事柄を的確に表現している曖昧性の低いものから、対象とする事柄を特定することが困難な曖昧性の高いものまで、様々な種類が存在する。曖昧性が高いものは、テキストを機械が解析する際の問題となる。
【０００３】
従来、テキスト中の節や単語などの表現の曖昧性を評価する手法として、動詞に対する必須格を利用する手法があった。非特許文献１には、コーパスから動詞に対する必須格を自動的に獲得する方法が記載されている。動詞の必須格が存在する節は曖昧性が低く、動詞の必須格が存在しない節は曖昧性が高いと判断できる。よって、従来技術によって自動的に必須格を獲得するための処理を行なえば、必須格の有無によって曖昧性の度合いを判断できる。
【非特許文献１】河原大輔，黒橋禎夫，「用言と直前の格要素の組を単位とする格フレームの自動構築」，自然言語処理，２００２年，Vol.9，No.1，pp.3-19．
【発明の開示】
【発明が解決しようとする課題】
【０００４】
上に記載した従来技術の方法で、曖昧性の判断をある程度行なうことはできるが、しかしながら、動詞に対する必須格のみでは曖昧性が高いか否かを判断できない場合も存在する。
【０００５】
例えば、「出る」という動詞には必須格の「が格」がある場合でも、その「が格」を埋める名詞によっては曖昧な場合が生じる。具体的には、「潜血が出る」という節は曖昧性が低いが、「症状が出る」という節は、その節だけではどのような症状が出ているのか不明であるため、曖昧性が高いと言える。つまり、必須格が存在するか否かだけでは定まらない曖昧性の度合いがある。
【０００６】
また、動詞の多義性によって曖昧性が変わる場合があるという問題もある。例えば、動詞の意味に応じて必須格が変わり、その結果として曖昧性も変わる。具体的には、上で例とした「出る」という動詞は、場所の移動を表わす意味で用いられる場合もあり、その場合には「を格」が必須格となる。つまり、「出る」のように多義的な動詞については、使われている意味や文脈を理解しなければ、必須格の有無を判定することができない若しくは困難である。
【０００７】
本発明は、上記の課題認識に基づいて行なわれたものであり、動詞の必須格による判断とは異なる方法を用いて文の曖昧性を評価することのできる曖昧性評価装置およびプログラムを提供することを目的とする。また、多義的な動詞が含まれている文についても、より正しく、その曖昧性を評価することのできる曖昧性評価装置およびプログラムを提供することを目的とする。
【課題を解決するための手段】
【０００８】
上記の課題を解決するため、本発明では、コーパスと呼ばれる大規模な量のテキストを利用して、節や単語などの表現が出現するテキストを抽出し、節や単語などの表現の直前に来る言葉の特徴から、節や単語などの表現の曖昧性を数値的に評価する。
【０００９】
［１］本発明の一態様による曖昧性評価装置は、複数のテキストを記憶する記憶手段に含まれるテキストの中から、評価対象の表現を含む前記テキストを抽出する表現抽出部と、前記表現抽出部によって抽出された前記テキスト内において前記表現を修飾する文節を抽出する修飾文節抽出部と、前記表現抽出部によって抽出された前記テキストに関する統計量と、前記修飾文節抽出部によって抽出された前記文節に関する統計量とを基に、前記表現の曖昧性を表わす評価値を算出する曖昧性評価処理部とを具備することを特徴とする。
ここで、テキストとは、文、文章、Ｎグラムなどのデータである。また、評価対象の表現とは、単語や節である。節とは、名詞節、形容詞節、副詞節などである。
上記の構成によれば、記憶手段は、例えばウェブコンテンツや放送字幕テキストなどから収集された、大量のテキストの実例をコーパスとして保持する。表現抽出部は、そのようなコーパスから評価対象の表現を含むテキストのみを抽出する。元のコーパスが膨大な量のテキストである場合、表現抽出部によって抽出されるテキストも、充分な量を有するとともに、当該表現に関する多様な用例を含んでおり、それら用例を統計的に分析するのに適している。修飾文節抽出部は、上記のテキスト中で当該表現を修飾する文節を抽出する。そして、これらの統計量を基に算出される評価値は、当該表現の用例の種類数やその頻度分布を反映した値となり、当該表現の曖昧性の評価値として用いることができる。つまり、曖昧性に関しては、単に必須格の有無に基づくよりも、正確で安定的な結果を得ることができる。
【００１０】
［２］また、本発明の一態様は、上記の曖昧性評価装置において、前記曖昧性評価処理部は、前記表現抽出部によって抽出された前記テキスト中における前記表現の出現回数をカウントする対象表現出現回数カウント部と、前記修飾文節抽出部によって抽出された文節に含まれる自立語ごとの出現回数をカウントする自立語出現回数カウント部と、前記対象表現出現回数カウント部によってカウントされた前記表現の出現回数と、前記自立語出現回数カウント部によってカウントされた自立語ごとの出現回数とに基づいて、前記評価値を算出する評価値算出部とを含むことを特徴とする。
この構成によると、自立語出現回数カウント部が修飾文節抽出部によって抽出された文節に含まれる自立語ごとの出現回数をカウントする。自立語ごとの出現回数は、評価対象の表現を抽出する文節の種類ごとの出現回数を近似的に表わし、かつ統計的に安定している。これにより、評価対象の表現を抽出する文節の種類ごとの出現頻度に応じた評価値を算出できる。
【００１１】
［３］また、本発明の一態様は、上記の曖昧性評価装置において、前記評価値算出部は、前記自立語の種類数が多いほど前記評価値が高くなり、また前記自立語ごとの出現頻度を前記表現の出現回数で除して得られる自立語出現確率が一様である度合いが高いほど前記評価値が高くなり、前記表現の直前に区切れ目の出現が少ないほど前記評価値が高くなるように、前記評価値を算出することを特徴とする。
【００１２】
［４］また、本発明の一態様によるコンピュータプログラムは、複数のテキストを記憶する記憶手段に含まれるテキストの中から、評価対象の表現を含む前記テキストを抽出する表現抽出過程と、前記表現抽出過程によって抽出された前記テキスト内において前記表現を修飾する文節を抽出する修飾文節抽出過程と、前記表現抽出過程によって抽出された前記テキストに関する統計量と、前記修飾文節抽出過程によって抽出された前記文節に関する統計量とを基に、前記表現の曖昧性を表わす評価値を算出する曖昧性評価処理過程との処理をコンピュータに実行させる。
【発明の効果】
【００１３】
本発明によれば、文中に出現する節や単語などの表現が、どの程度、対象とする事柄を特定できているかを判断する基準となる曖昧性を数値的に評価することが可能となる。この技術は、自然言語を利用したマンマシンインタフェースの改善に大きく貢献する。例えば、Ｗｅｂなどで検索を行う場合、検索キーとして入力した文や節に曖昧性があれば、それを的確に指摘することができる。また、この技術は、機械によるテキスト理解の分野にも貢献する。
【発明を実施するための最良の形態】
【００１４】
以下、図面を参照しながら本発明の実施形態について説明する。
図１は、本実施形態による曖昧性評価装置の機能構成を示すブロック図である。図示するように、本実施形態による曖昧性評価装置１００は、節や単語などといった表現を表わすデータ（文字による）を入力とし、入力された表現に対する曖昧性評価値を出力する。そして、曖昧性評価装置１００は、表現抽出部１と、修飾文節抽出部２と、曖昧性評価処理部３と、大規模コーパス記憶部４（記憶手段）とを含んで構成される。
【００１５】
大規模コーパス記憶部４は、大規模なコーパス（Corpus）を記憶するものであり、ハードディスク装置などの記憶装置やＣＤ−ＲＯＭおよびその読取装置などを用いて実現される。コーパスとは、自然言語による文のテキストを大量に蓄積した一種のデータベースである。ここでは、大規模コーパス記憶部４は。例えば、テレビ放送用字幕テキストや、テレビやラジオのニュース原稿や、新聞記事や、ウェブサーバを巡回して得たテキストなどといった大量のテキスト情報を保持している。大規模コーパス記憶部４は、これらのテキストを、文毎に区切って取り出せる状態で保持している。コーパスとして、具体的には、例えば、毎日新聞の記事が収録された「毎日新聞１９９１〜２００６データファイル」（日外アソシエーツ株式会社）などを利用することができる。
【００１６】
また、大規模コーパス記憶部４が、文のテキストの代わりに、例えばＮグラム（Ｎ−ｇｒａｍ）と言われるＮ個の形態素の並びの出現数情報を収録したＮグラムコーパスを記憶するようにしても良い。Ｎグラムとは、自然言語を処理するためのモデルの一つであり、Ｎ個連続（Ｎは２以上の整数）の言語単位（文字や音素などでも良いが、本実施形態では形態素を言語単位とする）をマルコフモデルで表わし、それら言語単位間の接続確率（言語単位間の条件付確率）を統計情報として合わせて記憶している。Ｎグラムとして、具体的には、例えば、「Ｗｅｂ日本語Nグラム第１版」（工藤拓，賀沢秀人  著，言語資源協会）などを用いることができる。
【００１７】
表現抽出部１は、入力として与えられる表現に基づき、大規模コーパス記憶部４を検索することにより、当該表現を含む文をコーパスから全て抽出する処理を行なう。この抽出は、単純に大規模コーパス記憶部４に記憶されているテキストを全文検索する方法で行なっても良いし、予め単語あるいは節の表現によってインデックス化しておき、このインデックスを参照することによって高速に抽出できるようにしても良い。
【００１８】
修飾文節抽出部２は、表現抽出部１によって抽出された文をそれぞれ構文解析処理し、その解析結果を利用して、入力として与えられた表現を修飾する文節を全て抽出する処理を行なう。なお、予め構文解析済みの状態でコーパスが保持されている場合には、改めてここで構文解析処理を行なう必要はない。
【００１９】
曖昧性評価処理部３は、修飾文節抽出部２によって抽出された文節の情報を用いて、入力として与えられた表現の曖昧性を評価する処理を行い、曖昧性評価値を出力する。
【００２０】
次に、曖昧性評価装置１００による処理の手順について説明する。
図２は、曖昧性評価装置１００による全体の処理手順を示すフローチャートである。
【００２１】
曖昧性評価装置１００の表現抽出部１は、まずステップＳ１において、曖昧性評価の対象となる、節や単語などの表現の入力を受け付ける。入力された表現は、曖昧性評価装置１００内のメモリに一時的に蓄積される。
【００２２】
上記の入力を受けた表現抽出部１は、次にステップＳ２において、大規模コーパス記憶部４を検索することにより、入力された表現を含む文（テキスト）を全て抽出する処理を行なう。なお、コーパスとしてＮグラムを使用する場合には、文を抽出する代わりに、入力された表現を含む全てのＮグラム（テキスト）を抽出する処理を行なう。
【００２３】
次にステップＳ３において、修飾文節抽出部２は、表現抽出部１によって抽出された文（またはＮグラム）に対して、入力された表現を修飾する文節を全て抽出する処理を行なう。具体的には、表現抽出部１によって抽出された文（またはＮグラム）を既存技術により構文解析し、その結果に基づき文節間の係り受け関係を抽出し、それによって入力された表現を修飾する文節を全て抽出する。
但し、このとき、入力された表現を修飾する文節であっても、時間表現による文節や人物表現に関する文節を除外するようにしても良い。具体的には、語のカテゴリーとして、時間表現に関する語や人物表現に関する語については、その旨を予め辞書データに登録しておき、評価対象の表現を修飾する文節に含まれる主要な自立語がそれらに該当するか否かを判断することにより、時間表現による文節や人物表現に関する文節を除外することができる。
なお、抽出されたＮグラムを構文解析した結果は、そのＮグラムが含まれる文全体を構文解析した結果と異なる場合はあるが、本実施形態はその結果を統計的に利用するものであるため、元のＮグラムコーパスが充分に大規模なものであれば、それらの構文解析結果の差は、許容される誤差の範囲内に収まることがわかっている。
【００２４】
次にステップＳ４において、曖昧性評価処理部３が、入力された表現の曖昧性を評価する処理を行なう。具体的には、次の３つの統計的特徴を用いて評価を行なう。その統計的特徴とは、（１）入力された表現（節や単語）を修飾する文節（但し、時間表現による文節と人物表現による文節を除外する）の種類数が多い場合には、曖昧性が高い。（２）入力された表現（節や単語）を修飾する文節（但し、時間表現による文節と人物表現による文節を除外する）の出現頻度が一様に高い場合には、曖昧性が高い。（３）入力された表現（節や単語）の直前に区切れ目（句点、読点、接続詞など）の出現が少ない場合には、曖昧性が高い。
【００２５】
次に、曖昧性評価処理部３による評価処理の詳細について説明する。
図３は、曖昧性評価処理部３の内部の詳細機能構成を示すブロック図である。図示するように、曖昧性評価処理部３は、自立語抽出部３１と、対象表現出現回数カウント部３２と、自立語出現回数カウント部３３と、評価値算出部３４とを備えて構成されている。
【００２６】
曖昧性評価処理部３は、修飾文節抽出部２によって抽出された、評価対象の表現を修飾する文節群を入力として受け取る。また、曖昧性評価処理部３は、表現抽出部１によって抽出された、評価対象の表現を含む文群（またはＮグラム群）を入力として受け取る。
【００２７】
曖昧性評価処理部３を構成する各部の概略は次の通りである。
自立語抽出部３１は、評価対象の表現を修飾する文節群の中から、自立語を抽出する。自立語については後で説明する。
対象表現出現回数カウント部３２は、評価対象の表現を含む文群（またはＮグラム群）に含まれる対象表現の出現回数（またはＮグラムの数）をカウントする。
自立語出現回数カウント部３３は、自立語抽出部３１によって抽出された自立語のそれぞれについて、評価対象の表現を抽出する文節群の中における出現回数をカウントする。
評価値算出部３４は、対象表現出現回数カウント部３２によってカウントされた対象表現の出現回数と、自立語出現回数カウント部３３によってカウントされた自立語ごとの出現回数とに基づいて、評価値を算出する。
【００２８】
曖昧性評価処理部３の処理手順は次の通りである。
曖昧性評価処理部３の処理としては、まず、自立語抽出部３１が、評価対象の表現を修飾する文節群から、そこに含まれる自立語を抽出する処理を行なう。自立語とはその単語単独で意味をもつ単語である。ある単語が自立語であるか否かは、その品詞によって決まる。日本語においては、自立語に含まれる品詞は一般的には、動詞、形容詞、形容動詞、名詞（代名詞、数詞を含む）、連体詞、副詞、接続詞、感動詞である。自立語に含まれない（つまり付属語である）品詞は一般的には助詞、助動詞である。自立語の抽出の際には、適宜辞書データ等を参照する。但し、コーパスに予め品詞情報が付加されている場合などには、その品詞情報を参照する。
【００２９】
次に、自立語出現回数カウント部３３が、自立語抽出部３１によって抽出された自立語ごとの出現回数をカウントする。つまり、ある自立語が、その表現を修飾する複数の別の文節内に出現する場合があるが、その自立語についてそれらの出現回数をカウントする。
自立語出現回数カウント部３３によってカウントされた自立語の種類数は、評価対象の表現を修飾する文節の種類数を近似する値として扱うことができる。また、自立語出現回数カウント部３３によってカウントされた自立語の出現頻度は、評価対象の表現を修飾する文節の出現頻度を近似する値として扱うことができる。文節の種類や出現頻度を直接使おうとすると、自立語以外の部分の表現のばらつきが出てしまうが、自立語出現回数カウント部３３が行なう処理のように文節に含まれる自立語の統計量を算出して用いることにより、そのようなばらつきを吸収して曖昧性を評価することができる。
【００３０】
また、対象表現出現回数カウント部３２が、評価対象とする表現を含む文群（またはＮグラム群）の入力を受けて、それらの文の数（Ｎグラムの数）をカウントする。
【００３１】
そして、自立語出現回数カウント部３３によってカウントされた自立語の出現回数と、対象表現出現回数カウント部３２によってカウントされた対象表現の出現回数を用いて、評価値算出部３４が、評価対象の表現の曖昧性を評価するための値を計算する。具体的には、コーパス中で表現（節や単語）ｐを修飾する文節中の自立語ｘｉ（ｉは自然数）の出現頻度（自立語出現回数カウント部３３によるカウント結果の値）をＮ（ｘｉ；ｐ）、表現ｐのコーパス中での全出現頻度（対象表現出現回数カウント部３２によってカウントされた出現回数）をＣ（ｐ）としたとき、評価値算出部３４は、節pの曖昧性を評価する値Ｈ（ｐ）を以下の式（１）により算出する。
【００３２】
【数１】
0005128328.tif 000002
【００３３】
つまり、評価値算出部３４は、表現ｐを修飾する節内に出現するそれぞれの自立語ｘｉの出現頻度を表現ｐの出現回数で除した値（Ｎ（ｘｉ；ｐ）／Ｃ（ｐ）、これを自立語出現確率と呼ぶ）を算出し、この自立語出現確率とそれ自身の対数との積の、すべての自立語についての総和に、負符号を付けた値をＨ（ｐ）として算出している。上記の式によれば、節を修飾する文節の種類が多いほど（つまり節を修飾する文節に含まれる自立語の種類が多いほど）Ｈ（ｐ）の値は大きくなる（つまり曖昧性は高くなる）。また同様に、節を修飾する文節の頻度が一様であるほど（つまり節を修飾する文節に含まれる自立語の種類ごとの出現頻度が一様であるほど）、そしてその頻度が一様に高いほどＨ（ｐ）の値は大きくなる（つまり曖昧性は高くなる）。また、節の直前に区切れ目の出現が多いほど、各自立語の出現確率（Ｎ（ｘｉ；ｐ）／Ｃ（ｐ））が小さくなるため、Ｈ（ｐ）の値は小さくなる（つまり曖昧性は低くなる）。
そして、評価値算出部３４は、上記の式によって算出した曖昧性評価値Ｈ（ｐ）を算出する。
【００３４】
次に、実際のコーパスを用いて曖昧性評価装置１００が曖昧性評価値を算出した結果について説明する。
【００３５】
大規模コーパス記憶部４に記憶させるコーパスとしては、前記の「Ｗｅｂ日本語Nグラム第１版」を利用した。この「Ｗｅｂ日本語Nグラム第１版」には、ウェブクローリング装置がインターネットを介して日本語のウェブコンテンツから獲得した約２００億文について、出現頻度が２０回以上の１グラム〜７グラムの形態素列の情報が含まれている。
【００３６】
例えば、表現抽出部１に入力される表現（節）「症状が出る」に対して曖昧性評価値を計算する場合、この表現は「症状」・「が」・「出る」の３形態素から成るため、当該コーパス中の３グラムのデータ中から「症状」・「が」・「出る」（活用する品詞である「出る」については他の活用形を含む）の頻度をカウントすることにより、当該表現のコーパス中での全出現頻度Ｃ（ｐ）を算出する。また、コーパス中の３グラム、４グラム、５グラムのデータから、当該表現を修飾する文節に含まれる自立語を抽出し、それら自立語の種類ごとの出現頻度を算出する。
【００３７】
図４は、上記の方法によって、健康に関する表現に対して実際に曖昧性評価値を算出した結果を列挙したものである。この図では、算出された曖昧性評価値Ｈ（ｐ）の降順にソート済みの結果を示している。この図に示すように、例えば、「機能が低下する」という表現に対してはＨ（ｐ）が「４．７９」、「状態が続く」という表現に対してはＨ（ｐ）が「３．５５」、「反応が起こる」という表現に対してはＨ（ｐ）が「３．０３」と、曖昧性評価値が比較的高い。逆に、「脳出血を起こす」という表現に対してはＨ（ｐ）が「０．１３」、「血糖値が上がる」という表現に対してはＨ（ｐ）が「０．１８」、「血圧が高い」という表現に対してはＨ（ｐ）が「０．２８」と、曖昧性評価値が比較的低い。このように、コーパス内の統計的な特徴に基づいて算出した評価値Ｈ（ｐ）が、各表現の実際の意味的な曖昧性に合っているという事実から、本実施形態による曖昧性評価装置が有効であると言える。
なお、図に示した曖昧性評価値の算出結果は、節に対するものであるが、名詞に対する曖昧性評価値も同様の処理手順により算出することができる。
【００３８】
なお、上述した実施形態における曖昧性評価装置の一部又は全部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００３９】
以上、複数の実施形態を説明したが、本発明はさらに次のような変形例でも実施することが可能である。
曖昧性評価値Ｈ（ｐ）を計算するための式（１）を上で示したが、評価値の算出方法はこの式に限定されず、評価対象の表現を修飾する文節内の自立語の種類数が多いほど評価値が高くなり、また自立語ごとの出現頻度を対象表現の出現回数で除して得られる自立語出現確率が一様である度合いが高いほど評価値が高くなり、前記表現の直前に区切れ目の出現が少ないほど前記評価値が高くなるような他の計算式を適宜用いるようにしても良い。さらに、評価対象の表現を修飾する文節の種類数が多いほど評価値が高くなり、また文節の種類ごとの出現頻度が一様である度合いが高いほど評価値が高くなるような他の計算式を適宜用いるようにしても良い。
【図面の簡単な説明】
【００４０】
【図１】本発明の実施形態による曖昧性評価装置の機能構成を示すブロック図である。
【図２】同実施形態による曖昧性評価装置の全体的な処理手順を示すフローチャートである。
【図３】同実施形態による曖昧性評価装置の曖昧性評価値処理部３の詳細な機能構成を示すブロック図である。
【図４】同実施形態による曖昧性評価装置が算出した曖昧性評価値Ｈ（ｐ）の例を、その値の降順にソートして示した概略図である。
【符号の説明】
【００４１】
１  表現抽出部
２  修飾文節抽出部
３  曖昧性評価処理部
４  大規模コーパス記憶部（記憶手段）
３１  自立語抽出部
３２  対象表現出現回数カウント部
３３  自立語出現回数カウント部
３４  評価値算出部
１００  曖昧性評価装置
【図１】
0005128328.tif 000003
【図２】
0005128328.tif 000004
【図３】
0005128328.tif 000005
【図４】
0005128328.tif 000006